(57)【特許請求の範囲】
【請求項１】
電子化された書籍の不具合を検証するための電子書籍の検証システムであって、前記電子書籍の情報が記録されたサーバーと、ＩＳＢＮ情報データベースと、このサーバーにネット接続された操作端末と、を備え、この操作端末には、前記電子書籍を閲覧するための閲覧プログラムが組み込まれており、この閲覧プログラムにより、前記操作端末に前記電子書籍の情報を読み込んだ後に、前記操作端末において、前記電子書籍を頁毎に順次表示させるとともに不具合の有無を頁毎に検証し、不具合を有するページ情報を送出して再電子化を指示し、不具合がない前記電子書籍のファイル名は、前記ＩＳＢＮ情報データベースから取得した前記電子書籍の書籍名に変更することで検証作業を完了し、前記操作端末上から入力された情報は、前記サーバー内で処理されることを特徴とする電子書籍の検証システム。
【請求項２】
前記サーバーには、前記電子書籍の情報が複数記録されているとともに、前記操作端末が複数接続され、これらの操作端末が前記サーバーに同時接続可能となされているとともに、単一の電子書籍に対する検証作業が単一の操作端末に制限されていることを特徴とする請求項１に記載の電子書籍の検証システム。
【請求項３】
前記再電子化の指示がなされた電子書籍に対する再検証処理が、この電子書籍の再電子化処理の完了後に可能となされていることを特徴とする請求項１に記載の電子書籍の検証システム。
【発明の詳細な説明】
【技術分野】
【０００１】
本発明は電子化された書籍の電子化処理において発生する不具合を検証し、この不具合を修正することにより、電子書籍の品質を確保するようにした電子書籍の検証システムに関する。
【背景技術】
【０００２】
従来、印刷物である書籍をスキャン装置によって電子情報化して電子書籍とする技術が提案されている（特許文献１参照）。
【先行技術文献】
【特許文献】
【０００３】
【特許文献１】特開平１０−１８７９４１号公報
【発明の概要】
【発明が解決しようとする課題】
【０００４】
ところで、前述した電子書籍にあっては、電子化処理に際して、書籍の文字情報や画像情報の傾きやかすれ、あるいは、汚れ等の不具合によって品質が低下してしまうことが発生している。
【０００５】
このような不具合を解消するためには、前述した不具合の検証を行なって、その不具合を修正する必要がある。
そのためには、書籍の電子化処理と同時に、不具合の検証処理や修正処理を行なわなければならない。
【０００６】
しかしながら、これらの各処理を同時に行なうと、処理が煩雑化し易いといった問題や、電子化処理のための作業スペースが増加してしまうといった問題が生じる。
【０００７】
本発明は、このような従来技術において残されている問題点を解決するためになされたもので、電子書籍の電子化処理の際に生じる不具合を効率よく検証しかつ修正することのできる電子書籍の検証システムを提供することを解決課題とする。
【課題を解決するための手段】
【０００８】
本発明の請求項１に記載の電子書籍の検証システムは、電子化された書籍の不具合を検証するための電子書籍の検証システムであって、前記電子書籍の情報が記録されたサーバーと、ＩＳＢＮ情報データベースと、このサーバーにネット接続された操作端末と、を備え、この操作端末には、前記電子書籍を閲覧するための閲覧プログラムが組み込まれており、この閲覧プログラムにより、前記操作端末に前記電子書籍の情報を読み込んだ後に、前記操作端末において、前記電子書籍を頁毎に順次表示させるとともに不具合の有無を頁毎に検証し、不具合を有するページ情報を送出して再電子化を指示し、不具合がない前記電子書籍のファイル名は、前記ＩＳＢＮ情報データベースから取得した前記電子書籍の書籍名に変更することで検証作業を完了し、前記操作端末上から入力された情報は、前記サーバー内で処理されることを特徴としている。
【０００９】
このような構成とすることにより、電子化処理後の電子書籍の情報を、一旦サーバーに記録しておき、この電子書籍の情報を、前記このサーバーにネット接続された操作端末に読み込み、この操作端末において前記電子書籍の不具合の検証を行なう。この検証作業の処理はサーバー内で行われるため、電子書籍の外部への流出を防ぐことが可能となる。
【００１０】
これによって、前記書籍の電子化処理と不具合の検証処理とを分離させることができ、最も広いスペースを必要とする電子化処理の作業スペースを極力狭めることができる。
【００１１】
また、電子化処理と検証処理とをそれぞれ独立させることによって各処理に特化させ、作業の簡素化を図ることができる。電子書籍のファイル名は、ＩＳＢＮ情報データベースを参照することで登録可能であるため、作業の効率化と、誤記の防止効果が期待できる。
【００１２】
本発明の請求項２に記載のように、前記サーバーには、前記電子書籍の情報が複数記録されているとともに、前記操作端末が複数接続され、これらの操作端末が前記サーバーに同時接続可能となされているとともに、単一の電子書籍に対する検証作業が単一の操作端末に制限されていることにより、不具合の検証処理の作業スペースを分散することができ、検証処理の各作業スペース自体も小さくすることができる。
また、複数の操作端末によって、複数の電子書籍を同時に検証処理することができるので、高効率の検証処理を可能とする。
【００１３】
また、請求項３に記載のように、前記再電子化の指示がなされた電子書籍に対する再検証処理が、この電子書籍の再電子化処理の完了後に可能となされていることにより、検証処理や修正処理を確実に行なうことができる。
【発明の効果】
【００１４】
本発明によれば、書籍の電子化処理と電子書籍の不具合の検証処理とを分離して作業を簡素化し、電子書籍の電子化処理の際に生じる不具合の検証や修正を効率よく行なうことができるとともに、大きな作業スペースを必要とする電子化処理の作業スペースを極力小さくすることができる。
【図面の簡単な説明】
【００１５】
【図１】本発明の一実施形態のシステム構成図である。
【図２】本発明の一実施形態を実施するための処理フロー図である。
【図３】本発明の一実施形態を示すもので、操作端末における表示画面を示す図である。
【図４】本発明の一実施形態を示すもので、操作端末における表示画面を示す図である。
【図５】本発明の一実施形態を示すもので、操作端末における表示画面を示す図である。
【図６】本発明の一実施形態を示すもので、操作端末における表示画面を示す図である。
【図７】本発明の一実施形態を示すもので、操作端末における表示画面を示す図である。
【図８】本発明の一実施形態を示すもので、操作端末における表示画面を示す図である。
【図９】本発明の一実施形態を示すもので、操作端末における表示画面を示す図である。
【図１０】本発明の一実施形態を示すもので、操作端末における表示画面を示す図である。
【図１１】本発明の一実施形態を示すもので、操作端末における表示画面を示す図である。
【図１２】本発明の一実施形態を示すもので、操作端末における表示画面を示す図である。
【図１３】本発明の一実施形態を示すもので、操作端末における表示画面を示す図である。
【図１４】本発明の一実施形態を示すもので、操作端末における表示画面を示す図である。
【図１５】本発明の一実施形態を示すもので、操作端末における表示画面を示す図である。
【図１６】本発明の一実施形態を示すもので、操作端末における表示画面を示す図である。
【図１７】本発明の一実施形態を示すもので、操作端末における表示画面を示す図である。
【図１８】本発明の一実施形態を示すもので、操作端末における表示画面を示す図である。
【図１９】本発明の一実施形態を示すもので、操作端末における表示画面を示す図である。
【図２０】本発明の一実施形態を示すもので、操作端末における表示画面を示す図である。
【図２１】本発明の一実施形態を示すもので、操作端末における表示画面を示す図である。
【図２２】本発明の一実施形態を示すもので、操作端末における表示画面を示す図である。
【発明を実施するための形態】
【００１６】
以下、本発明の一実施形態について、図面を参照して説明する。
図１は、本実施形態のシステム構成図で、電子書籍の情報が記録されるサーバー１と、このサーバー１に、有線若しくは無線によってネット接続された操作端末２とを備えている。
【００１７】
前記サーバー１には、前工程である書籍電子化処理装置３が接続されており、この書籍電子化処理装置３において生成された電子書籍情報が記録される電子書籍データーベース４と、書籍情報としてのＩＳＢＮ番号が記録されたＩＳＢＮ情報データーベース５とが設けられている。
【００１８】
前記電子書籍データーベース４には、多数の電気書籍情報が記録されており、前記操作端末２は、必要に応じて増設される。
【００１９】
ついで、本実施形態のシステムの動作を図２に示すフローチャートおよび図３ないし図２２に示す前記操作端末２の表示画面を参照して説明する。
【００２０】
まず、操作端末２を起動する（ステップＳ１）と、この操作端末２のデスクトップ上に、図３に示すように、リモートデスクトップアイコン６が表示され、このリモートデスクトップアイコン６をクリック（ステップＳ２）すると、リモートデスクトップ接続要求画面７が表示される。
【００２１】
このリモートデスクトップ接続要求画面７において、接続ＩＤを入力して接続要求を行なうと、図４に示すように、前記検証作業用アプリへの接続アプリであるオペレーションセンターアイコン８が表示され、リモートデスクトップ接続の画面が表示されるとともに、オペレーションセンターへの接続要求画面９が表示される。
ここで、設定されたログインＩＤとパスワードを入力して接続要求を行なう。
【００２２】
接続要求が許可されると、図５に示すように、オペレーションセンター接続要求画面１０が表示され、前記操作端末２の使用者の氏名とパスワードの入力が求められる。
これ以降の操作は、前記サーバー１内において処理され、前記操作端末２には、前記サーバー１での処理画面が表示される。
これによって、電子書籍情報等が前記操作端末２へ転送されることなく処理が行なわれ、リアルタイムな処理とセキュリティが確保されている。
【００２３】
前記オペレーションセンター接続要求が許可されると、前記オペレーションセンター接続要求画面１０に、図６に示すように、検証作業用アプリアイコン１１が表示され、この検証作業用アプリアイコン１１をクリックするとサーバー１へのログインが行なわれて（ステップＳ３）、図７に示すように、電子書籍一覧表１２が表示される（ステップＳ４）。
【００２４】
この電子書籍一覧表１２には、検証を必要とする電子書籍に関する情報が、管理番号Ａ毎に、ファイル名の有無Ｂ、調査中の有無Ｃ、検証の進捗状況および最終変更日時Ｄ、依頼者名および格納ファイル数Ｅ、裁断・スキャン作業者およびその日時Ｆ、到着日（依頼日）Ｇ、納期日Ｈ、スキャン完了（電子化完了）日時Ｉが表示されており、各管理番号Ａにつき単一若しくは複数の電子書籍情報が格納されている。
【００２５】
検証を開始するには、前記管理番号Ａをクリックすることによって検証対象を選択するのであるが、前記検証の進捗状況および最終変更日時Ｄの欄において未着手であること、また、着手してたとえば３時間を経過したもの、さらには、納期日Ｈの欄において納期の近いものを判定し優先順位をつけて、検証書籍を選択する（ステップＳ５）。
【００２６】
前記管理番号Ａが選択されると、図８に示すように、当該管理番号Ａに格納されている全てのファイルのファイル番号Ｊが表示される。
図示例では、単一のファイルが格納されている例を示した。
【００２７】
ここで、前記ファイル番号Ｊをクリックすることによって検証する電子書籍が最終的に選択され、図９に示すように、電子書籍の情報を１頁ずつ表示する電子書籍情報表示画面１３、前記電子書籍のファイル名を手動で行なう手動変更欄１４、現在のファイル名を表示する現ファイル名表示欄１５、書籍情報を元にファイル名を検索するファイル名検索欄１６が表示される。
【００２８】
この図９に示す表示がなされている状態で、電子書籍情報表示画面１３のスクロールバーを操作して、電子書籍情報を１頁毎切り替え表示させつつ不具合の検証を行なう（ステップＳ６）。
【００２９】
この検証の結果を判断し（ステップＳ７）、不具合が無かった場合には、前記電子書籍情報表示画面１３に表示されている電子書籍情報から、図１０に示すように、ＩＳＢＮ番号１７を探しだし、このＩＳＢＮ番号１７が得られた場合には、このＩＳＢＮ番号１７を前記ファイル名検索欄１６に転記するとともに、ＩＳＢＮチェック欄１８にチェックを入れて検索を開始する（ステップＳ８）。
【００３０】
前記検索が終了すると、図１１に示すように、検索結果を表示する書籍情報表示欄１９が表示されて、電子書籍情報が表示された後、図１２に示すように、ファイル名変更確認画面２０が表示され、この表示画面からファイル名変更を許可する。
【００３１】
ファイル名の変更許可を行なうと、前記操作端末２の表示が、図１３に示すような電子書籍選択画面に切り替わり、その画面中の完了ボタン２１をクリックする。
前記完了ボタン２１の操作を行なうと、図１４に示すように、確認画面２２が表示され、この確認画面２２において許可を行なうことにより、検証処理を終了する（ステップＳ９）。
【００３２】
検証処理を終了すると、図１５に示すように、電子書籍一覧表１２が表示されるが、その表中から検証を終えた電子書籍が消去されている。
【００３３】
一方、前記検証処理により、不具合が発見された場合には、その不具合箇所を抽出して（ステップＳ１０）、再スキャン依頼等のエラー報告を行ない（ステップＳ１１）処理を終了する。
【００３４】
前記不具合箇所の抽出は、たとえば、図１６に破線で示すように、電子書籍のある頁が斜めになっている場合、この頁全体と他の必要情報（図示例では頁番号）を取り囲んで範囲指定する。
【００３５】
前述した範囲指定を行なうと、その範囲が画像データーとして、図１７に示すように取り込まれる。
このような不具合のある頁に加えて、図１８に示すように、書籍の表紙部分も同様の手順で取り込む。
【００３６】
ついで、図１９に示すように、不具合抽出前の表示画面に戻り、その画面中に設けられているスキャン失敗ボタン２５をクリックする。
この操作により、前記表示画面が図２０に示すように、エラー報告画面２６に切り替わる。
【００３７】
このエラー報告画面２６には、変更前のファイル名欄２７、管理番号欄２８、報告者欄２９、現象欄３０、表紙画像記入欄３１、関連箇所画像記入欄３２、および、コメント欄３３が設けられており、それぞれ、自動的に転記されるか、作業者の記入操作や選択操作によって記入されるようになっている。
【００３８】
前述したエラー報告画面２６への記入が完了した後に、同画面上に設けられている送信ボタン３４（図２１参照）をクリックすることにより、前述した再スキャン依頼が行なわれるとともに、前記表示画面が、図２２に示すように切り替わる。
【００３９】
このような再スキャン依頼時に、不具合箇所とその詳細の情報が、表紙画像とともに送信されることから、再スキャンを行なう際に、前記表示画像により当該書籍の特定が容易に行なわれる。
【００４０】
図２２における表示画面においては、管理番号Ａ毎のファイル情報が表示されるが、前述したように再スキャン依頼がなされているファイルには、調査中の表示がなされるが、この表示は再スキャンが終了するまで表示され、終了した時点で調査済と切り替え表示される。
【００４１】
ここで、前記調査中の表示がなされている間は、新たな検証処理を拒否するように設定しておくことにより、重複した処理や誤処理を防止することができる。
【００４２】
また、エラー報告において画面のコメント欄３３に不具合の詳細が表示され、これによって、再スキャン時の正確性が確保される。
【符号の説明】
【００４３】
１  サーバー
２  操作端末
３  書籍電子化処理装置
４  電子書籍データーベース
５  ＩＳＢＮ情報データーベース
６  リモートデスクトップアイコン
７  リモートデスクトップ接続要求画面
８  オペレーションセンターアイコン
９  ログイン画面
１０  オペレーションセンター接続要求画面
１１  検証作業用アプリアイコン
１２  電子書籍一覧表
１３  電子書籍情報表示画面
１４  手動変更欄
１５  現ファイル名表示欄
１６  ファイル名検索欄
１７  ＩＳＢＮ番号
１８  ＩＳＢＮチェック欄
１９  書籍情報表示欄
２０  ファイル名変更確認画面
２１  完了ボタン
２２  確認画面
２３  ＵＲＬ
２４  ＵＲＬ
２５  スキャン失敗ボタン
２６  エラー報告画面
２７  変更前のファイル名欄
２８  管理番号欄
２９  報告者欄
３０  現象欄
３１  表紙画像記入欄
３２  関連箇所画像記入欄
３３  コメント欄
３４  送信ボタン
Ａ  管理番号
Ｂ  ファイル名の有無
Ｃ  調査中の有無
Ｄ  検証の進捗状況および最終変更日時
Ｅ  依頼者名および格納ファイル数
Ｆ  裁断・スキャン作業者およびその日時
Ｇ  到着日（依頼日）
Ｈ  納期日
Ｉ  スキャン完了（電子化完了）日時
Ｊ  ファイル番号
【要約】
【課題】電子書籍の電子化処理の際に生じる不具合を効率よく検証しかつ修正することのできる電子書籍の検証システムを提供することを課題とする。
【解決手段】電子化された書籍の不具合を検証するための電子書籍の検証システムであって、電子書籍の情報が記録されたサーバー１と、サーバーにネット接続された操作端末２とを備え、操作端末には、電子書籍を閲覧するための閲覧プログラムが組み込まれており、この閲覧プログラムにより、操作端末に電子書籍の情報を読み込んだ後に、操作端末において電子書籍を頁毎に順次表示させるとともに不具合の有無を頁毎に検証し、不具合を有するページ情報を送出して再電子化を指示することを特徴とする。
【選択図】図１【図１】
0005410592.tif 000002
【図２】
0005410592.tif 000003
【図３】
0005410592.tif 000004
【図４】
0005410592.tif 000005
【図５】
0005410592.tif 000006
【図６】
0005410592.tif 000007
【図７】
0005410592.tif 000008
【図８】
0005410592.tif 000009
【図９】
0005410592.tif 000010
【図１０】
0005410592.tif 000011
【図１１】
0005410592.tif 000012
【図１２】
0005410592.tif 000013
【図１３】
0005410592.tif 000014
【図１４】
0005410592.tif 000015
【図１５】
0005410592.tif 000016
【図１６】
0005410592.tif 000017
【図１７】
0005410592.tif 000018
【図１８】
0005410592.tif 000019
【図１９】
0005410592.tif 000020
【図２０】
0005410592.tif 000021
【図２１】
0005410592.tif 000022
【図２２】
0005410592.tif 000023